【手続補正書】
【提出日】平成30年3月20日(2018.3.20)
【手続補正１】
【補正対象書類名】特許請求の範囲
【補正対象項目名】全文
【補正方法】変更
【補正の内容】
【特許請求の範囲】
【請求項１】
処理対象の画像につき、該画像を生成する際に用いられた撮像光学系の収差による画質劣化を補正するためのフィルタ処理である回復処理を行う回復処理手段と、
前記処理対象の画像から所定の周波数成分であるエッジ信号を検出し、検出したエッジ信号の強度を調整し、調整後のエッジ信号を前記処理対象の画像に加算してエッジ強調処理を行うエッジ強調手段と、
を備え、
前記エッジ強調手段は、前記エッジ信号を検出する画像に対して前記回復処理が行われた場合は、前記回復処理が行われていない場合よりも、前記エッジ信号の強調の度合いが抑制されるように、前記エッジ信号の強度を調整することを特徴とする画像処理装置。
【請求項２】
前記エッジ強調手段は、前記調整後のエッジ信号が加算される画像の各画素の輝度に基づいて、前記エッジ信号の強度を調整することを特徴とする請求項１に記載の画像処理装置。
【請求項３】
前記エッジ強調手段は、所定の値よりも大きい輝度の画素については、前記回復処理が行われたか否か関わらず、前記エッジ信号の強調の度合が同一となるように、前記エッジ信号の強度を調整することを特徴とする請求項２に記載の画像処理装置。
【請求項４】
前記エッジ強調手段は、前記エッジ信号を検出する画像に対して前記フィルタ処理が行われた場合は、前記エッジ信号が正の成分である場合よりも、前記エッジ信号が負の成分である場合の方が、前記エッジ信号の強調の度合いが抑制されるように、前記エッジ信号の強度を調整することを特徴とする請求項１乃至３のいずれか１項に記載の画像処理装置。
【請求項５】
前記エッジ強調手段は、前記回復処理が行われていない場合は、前記エッジ信号が正の成分であるか負の成分であるかに関わらず、前記エッジ信号の強調の度合が同一となるように、前記エッジ信号の強度を調整することを特徴とする請求項４に記載の画像処理装置。
【請求項６】
前記エッジ強調手段は、前記エッジ信号を検出する画像に対して前記回復処理が行われた場合は、前記回復処理のフィルタの範囲の領域における輝度差に基づき、前記エッジ信号の強調を調整することを特徴とする請求項１乃至３のいずれか１項に記載の画像処理装置。
【請求項７】
前記エッジ強調手段は、前記フィルタの範囲の領域における注目画素の輝度値と、前記フィルタの範囲の領域に含まれる画素のうち、最大または最小の輝度値との差が大きいほど、前記エッジ信号の強調の度合いが抑制されるように、前記エッジ信号の強度を調整することを特徴とする請求項６に記載の画像処理装置。
【請求項８】
処理対象の画像につき、該画像を生成する際に用いられた撮像光学系の収差による画質劣化を補正するためのフィルタ処理である回復処理を行う回復処理手段と、
前記処理対象の画像から所定の周波数成分であるエッジ信号を検出し、検出したエッジ信号の強度を調整し、調整後のエッジ信号を前記処理対象の画像に加算してエッジ強調処理を行うエッジ強調手段と、
を備え、
前記エッジ強調手段は、前記回復処理のフィルタの範囲の領域における飽和画素の占める割合に基づき、前記エッジ信号の強度を調整することを特徴とする画像処理装置。
【請求項９】
前記エッジ強調手段は、前記フィルタの範囲の領域において飽和画素が占める割合が増えるほど、前記エッジ信号の強調の度合いが抑制されるように、前記エッジ信号の強度を調整することを特徴とする請求項８に記載の画像処理装置。
【請求項１０】
前記エッジ強調手段は、
前記調整後のエッジ信号が加算される画像の各画素の輝度に基づいて、前記エッジ信号の強度を調整し、
前記フィルタの範囲の領域における飽和画素が占める割合が閾値未満であれば、低輝度側の輝度の画素におけるエッジ信号の強調の度合いが、高輝度側の輝度の画素におけるエッジ信号の強調の度合いよりも強くなるように前記エッジ信号の強度を調整し、
前記フィルタの範囲の領域における飽和画素が占める割合が閾値以上であれば、前記低輝度側の輝度の画素におけるエッジ信号の強調の度合いが、前記高輝度側の輝度の画素の信号におけるエッジ信号の強調の度合い以下となるように前記エッジ信号の強度を調整することを特徴とする請求項９に記載の画像処理装置。
【請求項１１】
被写体を撮像して、前記処理対象の画像を生成する撮像素子と、
請求項１乃至１０のいずれか１項に記載の画像処理装置と
を備えることを特徴とする撮像装置。
【請求項１２】
コンピュータを請求項１乃至１０のいずれか１項に記載の画像処理装置の各手段として機能させるためのプログラム。
【請求項１３】
処理対象の画像につき、該画像を生成する際に用いられた撮像光学系の収差による画質劣化を補正するためのフィルタ処理である回復処理を行う回復処理工程と、
前記処理対象の画像から所定の周波数成分であるエッジ信号を検出し、検出したエッジ信号の強度を調整し、調整後のエッジ信号を前記処理対象の画像に加算してエッジ強調処理を行うエッジ強調工程と、
を有し、
前記エッジ強調工程では、前記エッジ信号を検出する画像に対して前記回復処理が行われた場合は、前記回復処理が行われていない場合よりも、前記エッジ信号の強調の度合いが抑制されるように、前記エッジ信号の強度を調整することを特徴とする画像処理方法。
【請求項１４】
処理対象の画像につき、該画像を生成する際に用いられた撮像光学系の収差による画質劣化を補正するためのフィルタ処理である回復処理を行う回復処理工程と、
前記処理対象の画像から所定の周波数成分であるエッジ信号を検出し、検出したエッジ信号の強度を調整し、調整後のエッジ信号を前記処理対象の画像に加算してエッジ強調処理を行うエッジ強調工程と、
を有し、
前記エッジ強調工程では、前記回復処理のフィルタの範囲の領域における飽和画素の占める割合に基づき、前記エッジ信号の強度を調整することを特徴とする画像処理方法。
【手続補正２】
【補正対象書類名】明細書
【補正対象項目名】００１２
【補正方法】変更
【補正の内容】
【００１２】
上記課題を解決するための本発明は、画像処理装置であって、
処理対象の画像につき、該画像を生成する際に用いられた撮像光学系の収差による画質劣化を補正するためのフィルタ処理である回復処理を行う回復処理手段と、
前記処理対象の画像から所定の周波数成分であるエッジ信号を検出し、検出したエッジ信号の強度を調整し、調整後のエッジ信号を前記処理対象の画像に加算してエッジ強調処理を行うエッジ強調手段とを備え、
前記エッジ強調手段は、前記エッジ信号を検出する画像に対して前記回復処理が行われた場合は、前記回復処理が行われていない場合よりも、前記エッジ信号の強調の度合いが抑制されるように、前記エッジ信号の強度を調整することを特徴とする。
【手続補正３】
【補正対象書類名】明細書
【補正対象項目名】００５１
【補正方法】変更
【補正の内容】
【００５１】
画像回復を行う場合のエッジ強調パラメータは、画像回復で過補正の目立ち易さに応じて変更することも可能である。エッジのコントラストが高いほど、過補正は目立つ。これは、画像回復フィルタをコンボリューションする際に処理対象の画像領域内の濃淡差が大きいほど、過補正が目立つ傾向があることを意味する。従って、注目画素に対して画像回復処理を行う場合、画像回復フィルタの処理対象の画像領域内で最大画素値（最大輝度値）又は最小画素値（最小輝度値）と注目画素の画素値（輝度値）との差分値を求め、絶対値としてより大きい方を採用する。この差分値に応じて、注目画素のエッジ強調パラメータを決定することで、画像回復で過補正が目立ちやすい箇所でエッジ強調の強度を小さくすることができる。この場合は、エッジ強調パラメータ決定部１１１が記憶部１０７から取得したパラメータに基づいて演算を行う。